【手続補正書】
【提出日】平成29年10月2日(2017.10.2)
【手続補正１】
【補正対象書類名】特許請求の範囲
【補正対象項目名】全文
【補正方法】変更
【補正の内容】
【特許請求の範囲】
【請求項１】
ユーザ機器（ＵＥ）の装置であって、
Ｌｉｃｅｎｓｅｄ  Ａｓｓｉｓｔｅｄ  Ａｃｃｅｓｓサブフレーム（ＬＡＡサブフレーム）を格納するためのメモリと、
プロセッサと、を備え、
前記プロセッサは、
無線アクセスネットワークノード（ＲＡＮノード）から、前記ＬＡＡサブフレームをデコードして、デコードされたＬＡＡサブフレームデータを生成し、
前記デコードされたＬＡＡサブフレームデータ内で、第１同期信号（ＰＳＳ）、第２同期信号（ＳＳＳ）、およびセル固有の基準信号（ＣＲＳ）を特定し、
前記デコードされたＬＡＡサブフレームデータ内での前記ＰＳＳ、ＳＳＳ、およびＣＲＳの特定に少なくとも部分的に基づいて、発見信号が前記ＬＡＡサブフレーム内に存在することを決定する
装置。
【請求項２】
前記ＵＥは、前記ＲＡＮノードをセカンダリセルとして追加する
請求項１に記載の装置。
【請求項３】
セカンダリセル処理を用いるＬＡＡを使用して通信する送受信機に結合された第１無線インターフェースをさらに備える
請求項１または２に記載の装置。
【請求項４】
プライマリセル処理を用いるロングタームエボリューション（ＬＴＥ）を使用して通信する第２無線インターフェースをさらに備える
請求項３に記載の装置。
【請求項５】
前記プロセッサはさらに、ＬＡＡを用いてセカンダリセル処理を実行する
請求項１から４のいずれか一項に記載の装置。
【請求項６】
セカンダリセル処理においてＬＡＡによりアンライセンスバンドを使用する第１送信機に結合された第１無線インターフェースをさらに備える
請求項１から５のいずれか一項に記載の装置。
【請求項７】
プライマリセル処理においてロングタームエボリューションを用いるライセンスバンドを使用する第２送信機に結合された第２無線インターフェースをさらに備える
請求項６に記載の装置。
【請求項８】
前記プロセッサは、ベースバンドプロセッサである
請求項１から７のいずれか一項に記載の装置。
【請求項９】
無線アクセスネットワーク（ＲＡＮ）ノードの装置であり、
Ｌｉｃｅｎｓｅｄ  Ａｓｓｉｓｔｅｄ  Ａｃｃｅｓｓ帯域（ＬＡＡ帯域）を用いる送信機に結合された第１無線インターフェースと、
プロセッサと、を備え、
前記プロセッサは、
ＬＡＡ発見信号の発見測定タイミングのための第１のサブフレームを選択し、
前記発見測定タイミングおよび前記第１のサブフレームに少なくとも部分的に基づいて、周期的ＬＡＡ発見信号を生成し、
前記第１無線インターフェースを用いる送信のための前記周期的ＬＡＡ発見信号を提供し、
前記第１のサブフレームは、第１同期信号（ＰＳＳ）、第２同期信号（ＳＳＳ）、およびセル固有の基準信号（ＣＲＳ）を含む
装置。
【請求項１０】
前記第１無線インターフェースを用いる送信のための前記周期的ＬＡＡ発見信号を提供することは、送信サブフレームがアクティブである場合に、前記第１無線インターフェースを用いる送信のための前記周期的ＬＡＡ発見信号を提供することを含む
請求項９に記載の装置。
【請求項１１】
プライマリセルインターフェースとして構成された第２無線インターフェースをさらに備える
請求項９または１０に記載の装置。
【請求項１２】
前記ＬＡＡ帯域はアンライセンスバンドである
請求項１１に記載の装置。
【請求項１３】
前記第２無線インターフェースは、ロングタームエボリューション（ＬＴＥ）インターフェースである
請求項１１または１２に記載の装置。
【請求項１４】
前記第１無線インターフェースは、ＷＬＡＮを含む帯域で送信する
請求項９から１３のいずれか一項に記載の装置。
【請求項１５】
前記第１無線インターフェースは、ＬＡＡセカンダリセルインターフェースとして構成される
請求項９から１４のいずれか一項に記載の装置。
【請求項１６】
前記プロセッサは、ベースバンドプロセッサである
請求項９から１５のいずれか一項に記載の装置。
【請求項１７】
プロセッサに、
Ｌｉｃｅｎｓｅｄ  Ａｓｓｉｓｔｅｄ  Ａｃｃｅｓｓ発見信号（ＬＡＡ発見信号）の発見信号周期の第１発生サブフレームを選択する段階と、
前記ＬＡＡ発見信号、第１同期信号、および第２同期信号を含む、空状態ではないサブフレームを生成する段階と、
前記発見信号周期の前記第１発生サブフレームのタイミングでの送信のために、前記空状態ではないサブフレームをエンコードする段階と、を備える方法を実行させる
コンピュータプログラム。
【請求項１８】
前記ＬＡＡ発見信号は、前記発見信号周期に基づいて周期的である
請求項１７に記載のコンピュータプログラム。
【請求項１９】
前記空状態ではないサブフレームはさらに、セル固有の基準信号（ＣＲＳ）を有する
請求項１７または１８に記載のコンピュータプログラム。
【請求項２０】
前記方法はさらに、ＬＡＡを用いて、ユーザ機器（ＵＥ）にセカンダリセルを提供する段階を備える
請求項１７から１９のいずれか一項に記載のコンピュータプログラム。
【請求項２１】
請求項１７から２０のいずれか一項に記載のコンピュータプログラムを格納するコンピュータ可読記憶媒体。
【手続補正２】
【補正対象書類名】明細書
【補正対象項目名】発明の名称
【補正方法】変更
【補正の内容】
【発明の名称】装置およびコンピュータプログラム
【手続補正３】
【補正対象書類名】明細書
【補正対象項目名】０１３４
【補正方法】変更
【補正の内容】
【０１３４】
例２９は、実行されると、請求項１１−２７のいずれか一項に記載の方法を実装するか、または、装置を実現する複数の機械可読命令を備える機械可読記憶装置である。
本実施形態の例を下記の各項目として示す。
［項目１］
クロスキャリアスケジューリングのためのプライマリ基地局であって、
別の無線アクセス技術（ＲＡＴ）と共有している一連の周波数を介したモバイルデバイスとの通信のためのクロスキャリアスケジューリングについてセカンダリ基地局を選択し、
クロスキャリアスケジューリングを求める要求を前記セカンダリ基地局に送信し、
前記セカンダリ基地局にモバイルデバイスにデータを送信するためのスケジュールを提供し、
前記セカンダリ基地局に、前記プライマリ基地局の第１のフレームとアラインメントしている第２のフレームの一部分において、前記データを送信する
よう構成されている
プライマリ基地局。
［項目２］
さらに、ユーザ機器（ＵＥ）から、前記ＵＥと前記セカンダリ基地局との間の複数の送信品質測定結果を記述している送信品質レポートを受信するよう構成されている
項目１に記載のプライマリ基地局。
［項目３］
さらに、前記セカンダリ基地局から、前記セカンダリ基地局とユーザ機器（ＵＥ）との間の複数の送信品質測定結果を記述している送信品質レポートを受信するよう構成されている
項目１に記載のプライマリ基地局。
［項目４］
さらに、ユーザ機器（ＵＥ）による前記セカンダリ基地局からの前記データの受信を示すレポートを受信するよう構成されている
項目１に記載のプライマリ基地局。
［項目５］
前記レポートは、ハイブリッド自動再送要求（ＨＡＲＱ）メッセージである
項目４に記載のプライマリ基地局。
［項目６］
クロスキャリア送信のための拡張型ノードＢ（ｅＮＢ）であって、
第１の無線スペクトル群を介してユーザ機器（ＵＥ）と通信するよう構成されている第１のネットワークインターフェースと、
アンコンベンショナルキャリアタイプ（ＵＣＴ）を含むネットワークインフラストラクチャと通信するよう構成されている第２のネットワークインターフェースと、
プロセッサと
を備え、
前記プロセッサは、
第２の無線スペクトル群を介して前記ＵＣＴから送信されたＵＣＴ発見信号の測定結果を含むレポートを前記ＵＥから受信して、
前記ＵＥに対するデータの送信のために前記ＵＣＴを選択し、
前記ＵＣＴを介した前記データの送信をスケジューリングする
よう構成されている
ｅＮＢ。
［項目７］
前記ＵＣＴは、物理ダウンリンク制御チャネル（ＰＤＣＣＨ）を前記ＵＥに提供する
項目６に記載のｅＮＢ。
［項目８］
前記ｅＮＢは、物理ダウンリンク制御チャネル（ＰＤＣＣＨ）を前記ＵＥに提供する
項目６に記載のｅＮＢ。
［項目９］
前記ＵＣＴからの前記ＵＣＴ発見信号の前記測定結果を含む前記レポートを前記ＵＥから受信することはさらに、前記ＵＣＴからの周期的ＵＣＴ発見信号の前記測定結果を含む前記レポートを前記ＵＥから受信することを含む
項目６に記載のｅＮＢ。
［項目１０］
データを送信する方法であって、
第１の周波数帯域を用いて、ユーザ機器（ＵＥ）との通信のプライマリ媒体を提供する段階と、
少なくとも１つの無線アクセス技術（ＲＡＴ）との間で共有する第２の周波数帯域を用いたセカンダリ媒体を介した前記ＵＥとの間のセカンダリ基地局の送信品質を記述しているレポートを受信する段階と、
前記ＵＥとのクロスキャリア送信で用いるべく前記セカンダリ基地局を選択する段階と、
前記ＵＥとの通信に前記セカンダリ媒体を予約する段階と、
前記セカンダリ基地局による前記ＵＥへの前記セカンダリ媒体を介した送信のためにデータ群をスケジューリングする段階と、
第３世代パートナーシッププロジェクト（３ＧＰＰ）に準拠したプロトコルを用いて、前記セカンダリ媒体を介して前記データ群の少なくとも一部を送信させる段階と
を備える方法。
［項目１１］
リッスンビフォアトークプロトコルを実行する段階をさらに備える
項目１０に記載の方法。
［項目１２］
前記セカンダリ媒体は、アンライセンス周波数群を含む
項目１０に記載の方法。
［項目１３］
前記セカンダリ媒体は、ライセンス周波数群を含む
項目１０に記載の方法。
［項目１４］
前記セカンダリ媒体を介して前記データ群の少なくとも一部を送信させる段階はさらに、前記プライマリ媒体を介して、前記データ群をスケジューリングする制御チャネルを送信する段階を有する
項目１０に記載の方法。
［項目１５］
前記セカンダリ媒体を介して前記データ群の少なくとも一部を送信させる段階はさらに、前記セカンダリ媒体の複数のサブフレームを前記プライマリ媒体の複数のサブフレームとアラインメントする段階を有する
項目１０に記載の方法。
［項目１６］
前記セカンダリ媒体を予約する段階はさらに、前記セカンダリ媒体を予約するべく前記セカンダリ媒体を介してチャネル予約信号を送信する段階を有する
項目１５に記載の方法。
［項目１７］
前記セカンダリ媒体の前記複数のサブフレームを前記プライマリ媒体の前記複数のサブフレームとアラインメントする段階はさらに、前記セカンダリ媒体を介して送信された前記チャネル予約信号とアラインメントされた前記セカンダリ媒体のサブフレームとの間にアラインメントギャップを生成する段階を有する
項目１６に記載の方法。
［項目１８］
前記アラインメントギャップの少なくとも一部分において、ワイヤレスローカルエリアネットワーク（ＷＬＡＮ）プリアンブルの少なくとも一部分を送信する段階をさらに備える
項目１７に記載の方法。
［項目１９］
前記アラインメントギャップの少なくとも一部分において、少なくともノイズ信号を送信する段階をさらに備える
項目１７に記載の方法。
［項目２０］
前記アラインメントギャップの少なくとも一部分において発見信号の少なくとも一部分を送信する段階をさらに備える
項目１７に記載の方法。
［項目２１］
前記アラインメントギャップの持続時間がしきい値未満と判断する段階と、
前記アラインメントギャップにおける送信を控える段階と
をさらに備える項目１７に記載の方法。
［項目２２］
前記セカンダリ媒体の前記複数のサブフレームを前記プライマリ媒体の前記複数のサブフレームとアラインメントする段階はさらに、アラインメントギャップを含むスーパーサブフレームを生成する段階を有する
項目１５に記載の方法。
［項目２３］
前記セカンダリ媒体の前記複数のサブフレームを前記プライマリ媒体の前記複数のサブフレームとアラインメントする段階はさらに、前記セカンダリ媒体を介した送信のために長さ短縮サブフレームを生成する段階を有する
項目１５に記載の方法。
［項目２４］
前記セカンダリ媒体を介して前記データ群の少なくとも一部を送信させる段階はさらに、前記プライマリ媒体と比較して、前記セカンダリ媒体を介して非同期に前記データ群の前記一部を送信する段階を有する
項目１０に記載の方法。
［項目２５］
複数の機械可読命令を含む機械可読記憶装置であって、前記複数の機械可読命令は、実行されると、項目１０から２４のいずれか一項に記載されている方法を実施するか、または、装置を実現する、機械可読記憶装置。